(57)【要約】【課題】不快害虫の誘引捕獲具において光の発光面を大きくすることにより害虫を集める機能を高めることである。【解決手段】リング状、円筒状、ドーム状、球殻状又は箱状で、波長が３１０ｎｍ〜５００ｎｍの光を透過する透明の本体部１と、本体部１で定義される内側の空間Ｓに配置されたＬＥＤ２および／又はＥＬラインテープ３と、本体部１の外周囲に配置され起毛状または多孔質の捕捉部４とを備えた不快害虫の誘引捕獲具。【選択図】図１
2014050349.tif 000002
【特許請求の範囲】
【請求項１】
リング状、円筒状、ドーム状、球殻状又は箱状で、波長が３１０ｎｍ〜５００ｎｍの光を透過する透明の本体部１と、
前記本体部で定義される内側の空間Ｓに配置されたＬＥＤ２および／又はＥＬラインテープ３と、
前記本体部の外周囲に配置され起毛状または多孔質の捕捉部４とを備えた不快害虫の誘引捕獲具。
【請求項２】
請求項１の捕獲具において、前記本体部の内側の空間に配置されたヒータ５と、
前記ＬＥＤおよび前記ヒータを配線するための基板６とを更に備える。
【請求項３】
請求項２の捕獲具において、前記本体部の内側の空間には超音波を発生する超音波振動子が更に設けられている。
【請求項４】
請求項１の捕獲具において、前記本体部がペットの首に装着されるのに適した円環状に形成されている。
【発明の詳細な説明】
【技術分野】
【０００１】
本発明はノミ・ダニなどの不快害虫の誘引捕獲具に関する。
【背景技術】
【０００２】
人、犬、猫などに寄生するノミやダニは家屋内や車内で被害を拡大させる。かかる害虫を誘引したり、あるいは、駆除するために、種々の器具が提案されている。（特許文献１,２）
【先行技術文献】
【特許文献】
【０００３】
【特許文献１】ＪＰ２０００−１７５５８７Ａ
【特許文献２】ＪＰ２００２−２９１３９１Ａ
【発明の概要】
【０００４】
特許文献１の発明はペット用首輪で、特定の波長４００ｎｍ〜６００ｎｍの光を発するノミ誘引部材を当該首輪に取り付けている。しかし、この特許文献１の発明では光の発光面を大きくすることが難しい。
【０００５】
特許文献２の発明は、捕獲容器で容器内に誘引剤を載置して、容器下部のカーペット生地に害虫を集める。しかし、この特許文献２の発明は特定の光を用いて虫を集めることは開示されていない。
【０００６】
本発明の主目的は、不快害虫の誘引捕獲具において光の発光面を大きくすることにより害虫を集める機能を高めることである。
【０００７】
本発明はリング状、円筒状、ドーム状、球殻状又は箱状で、波長が３１０ｎｍ〜５００ｎｍの光を透過する透明の本体部１と、
前記本体部で定義される内側の空間Ｓに配置されたＬＥＤ２および／又はＥＬラインテープ３と、
前記本体部の外周囲に配置され起毛状または多孔質の捕捉部４とを備えた不快害虫の誘引捕獲具である。
【０００８】
本発明によれば、本体部の内側の空間にＬＥＤ又はＥＬラインテープが配置されているので、リング状や円筒状、ドーム状、球殻状又は箱状の外表面から特定の波長の光を広範囲に出射することができるから広範囲にわたって害虫を誘引することができる。
一方、前記光で誘引された虫は本体部の外周囲の起毛状又は多孔質の捕捉部に捕捉されるから、当該捕捉部を交換したり、あるいは、当該捕捉部に殺虫成分をコーティングしておくことで、害虫を捕獲することができる。
【０００９】
本発明において、害虫を誘引する光源としては波長が３１０ｎｍ〜５００ｎｍにピーク波長を有するＬＥＤまたはＥＬラインを用いることができる。この発明者の研究によると、紫色（３８０〜４５０ｎｍ）や青色（４５０〜４９５ｎｍ）を発するＬＥＤやＥＬラインを好ましくは用いることができる。
【図面の簡単な説明】
【００１０】
【図１】図１は本発明の第１実施例を示す不快害虫の誘引捕獲具の概略断面図である。
【図２】図２は本発明の第２実施例を示す不快害虫の誘引捕獲具の概略断面図である。
【図３】図３は本発明の第３実施例を示す不快害虫の誘引捕獲具の概略断面図である。
【発明を実施するための形態】
【００１１】
好ましくは、前記本体部の内側の空間に配置されたヒータ５と、
前記ＬＥＤおよび前記ヒータを配線するための基板６とを更に備える。
【００１２】
この場合、ヒータおよび基板の発熱により本体部を介して起毛状または多孔質の捕捉部がノミやダニが好む温かい状態になる。したがって、害虫の捕獲効率が向上する。
【００１３】
ノミやダニの種別によって好みの温度帯域があるので、温度設定と温度制御できるようにしておくのが好ましい。一般に、ノミやダニは対象となる宿主の体温に近い温度を好む傾向にある。
【００１４】
更に好ましくは、前記本体部の内側の空間には超音波を発生する超音波振動子が更に設けられている。
【００１５】
この場合、ノミ・ダニの好む超音波を発することで、更に、害虫の捕獲効率を向上させることができる。  
【００１６】
超音波振動子は、圧電セラミックに電圧をかけることで伸び、縮みを繰り返して振動し、超音波を発生する。
ノミ・ダニが好む周波数は２５−６０ＫＨＺ程度である。
【００１７】
好ましくは、前記本体部がペットの首に装着されるのに適した円環状に形成されている。
この場合、ペットの首に装着された捕獲具によりペットは快適感が得られるだろう。
【実施例】
【００１８】
以下、本発明の実施例を図面にしたがって説明する。
図１は実施例１を示す。
【００１９】
図１において、本捕獲具は、本体部１、ＬＥＤ２、捕捉部４、ヒータ５および基板６を備える。本体部１はドーム状ないし球殻状の透明容器で、たとえば、シリコーン樹脂で形成され、３１０ｎｍ〜５００ｎｍの光を透過する。
【００２０】
前記本体部１の内部の空間には、前記基板６と前記基板６の上面に配置されたＬＥＤ２およびカーボンプリントヒータ５が収容されている。ＬＥＤ２としては４００ｎｍ〜４３５ｎｍ紫色の発光ダイオードを用いるのが好ましい。
更に、前記基板６には図示しない超音波振動子が設けられていてもよい。
【００２１】
前記本体部１の空間Ｓの下部には、バッテリー８が載置されて収容されている。これにより、家庭用電源又は車両の電源から給電されて蓄電できるようになっている。
【００２２】
前記本体部１の外表面には捕捉部４が設けられている。前記捕捉部４は、たとえば不織布や織布からなる基布４０と、当該基布４０に植毛された起毛部４１とを有する絨毯様の布部品を用いてもよい。
【００２３】
前記ＬＥＤ２からの光が本体部１を通過し、更に前記基布４０および起毛部４１を通して、外部に漏れる程度となるように、前記基布４０および起毛部４１の厚さや密度等を設定する必要がある。
【００２４】
前記捕捉部４は図示しない面ファスナやゴムバンドなどにより本体部１に対して着脱自在であってもよく、この場合、捕捉部４の交換が容易になる。
【００２５】
また、前記捕捉部４の起毛部４１には害虫の誘引剤がコーティングないし塗布されてもよいし、基布４０には殺虫成分（剤）が塗布されていてもよい。
【００２６】
前記ヒータ５の設定温度（２０℃〜４０℃）と対象とする害虫用などを設定入力するコントローラを別途設けてもよいし、前記本体部１の底部の一部に設けてもよい。
更に、本体部１の底部には、面ファスナ９を介して両面テープが設けられていてもよい。
【００２７】
本捕獲具は害虫の好む光、音、温度を放射するので、起毛部４１に多数の害虫が集まる。特に、光が広い範囲に出射されるので、広範囲にわたって害虫を誘引し易い。
【００２８】
図２に示すように、本体部１は円筒状ないし球殻状であってもよい。また、ＬＥＤ２に加えて、ＥＬラインテープ３を設けてもよい。
これらの光源２，３は基板６の両面に配置してもよい。
【００２９】
図３はペットの首に装着できる首輪型の捕獲具である。
この場合、本体部１は完全なリングである必要はなく、一部が欠損したＣリング状であってもよい。本体部１の内周面には前記本体部１の内周面と概ね同じ長さのＥＬラインテープ３が付着されている。これにより、ＥＬラインテープ３は本体部１を通して略全周にわたって光を外部に向かって放つ。なお、ＥＬラインテープ３に沿って（重ねて又は並列に）、フレキシブルのヒータ（図示せず）を設けてもよい。
【００３０】
前記Ｃリングの欠損部には、コントローラ１１が設けられ、当該コントローラ１１の匡体が本体部１の端部同士を接続していてもよい。
【産業上の利用可能性】
【００３１】
本発明はペットの他人や他の動物に寄生するノミやダニを当該ペット又は車両や家屋から駆除するのに役立つ。
【符号の説明】
【００３２】
１：本体部  １１：コントローラ
２：ＬＥＤ
３：ＥＬラインテープ 
４：捕捉部  ４０：基布  ４１：起毛部
５：ヒータ
６：基板
８：バッテリー
９：面ファスナ
Ｓ：空間
【図１】
2014050349.tif 000003
【図２】
2014050349.tif 000004
【図３】
2014050349.tif 000005